(57)【特許請求の範囲】
【請求項１】
リング状の加熱体から熱を照射して被施術者の頭髪の周囲を回転しながら均一な温度に加熱する毛髪処理促進装置であって、
パーマやカラー等の施術内容から１つの施術内容を選択するための施術内容操作釦と、  被施術者のフロント部、左右のサイド部およびネープ部から、加熱・非加熱する部位を、１つまたは複数選択するための部位選択操作釦と、
前記フロント部、左右のサイド部およびネープ部の４箇所の部位と前記加熱体の回転軌道上の位置とが一致したことを検出するタイミング検出手段と、
前記施術内容と加熱する部位とが選択された状態において前記加熱体の回転を開始させる回転操作釦と、
前記施術内容と前記部位選択とが設定された後に前記回転操作釦が操作されると、前記加熱体が回転すると共にタイミング検出手段が選択された部位と前記加熱体の回転軌道上の位置とが一致したことを検出した位置において前記加熱体のヒーターへの通電と遮断を前記加熱体の１回転毎に繰り返し行う制御回路と、
より構成し、
前記加熱体のヒーターへの通電および遮断のタイミング検出手段は、前記加熱体を回転するモータと一体に回転する円板に、前記部位選択操作釦のフロント部、左右サイド部およびネープ部の位置と対応するスリット等の位置表示部を形成し、前記選択した部位の位置表示部をセンサーが検出すると前記ヒーターに通電し、選択していない部位の位置表示部をセンサーが検出すると前記ヒーターへの通電を遮断するようにし、
前記ヒーターに通電してから前記ヒーターが所定の温度に達するまでの時間と、通電を遮断してから前記ヒーターが冷却するまでの時間に差がある場合にあっては、前記ヒーターへの通電開始を前記部位選択操作釦で選択した部位と対応する位置表示部を検出してから予め設定した時間の遅れの後に行い、また、前記ヒーターの通電遮断を前記部位選択操作釦で選択していない部位の位置表示部を検出してから前記通電開始の遅れ時間とは異なる予め設定した時間の遅れの後に行うようにしたことを特徴とする毛髪処理促進装置。
【請求項２】
前記加熱体のヒーターとして、エネルギー量が大きく、電源を投入してから前記ヒーターが所定の温度に達するまでの時間が早く、かつ、電源を遮断してから前記ヒーターが冷却するまでの時間が早い、カーボンヒーターを採用したことを特徴とする請求項１記載の毛髪処理促進装置。
【発明の詳細な説明】
【技術分野】
【０００１】
本発明は、駆動手段によって回転する加熱体に、初期位置（加熱体が垂直位置）にある状態において、最下部位置のヒーターの照射エネルギーを高く（高温）し、上方位置のヒーターの照射エネルギーを小さく（低温）し、かつ、高温と低温の間のヒーターの照射エネルギーを中間（中温）とすることで、頭髪全体に対してより均一にエネルギーを照射し、また、頭髪の一部のみのパーマ等の施術温度を下げて処理する場合には、ヒーターへの通電を一時的に遮断することで、希望する頭髪部分のパーマのみの促進力を高めることができる毛髪処理促進装置に関する。
【背景技術】
【０００２】
従来における毛髪処理促進装置としては、特許文献１として特開平１−１３６６０５号公報に開示されている発明がある。この発明は、リング状の加熱体に、後述する加熱体が略垂直位置にある状態において回転体の下部側よりの加温温度を高くするために密度を高くしたヒーターを装着し、該回転体を昇降杆の頂部に取付けられた駆動手段に対して略垂下状態として取付け、前記駆動手段を回転することで加熱体は、略垂直状態から斜め状態を介して水平状態に達し、この水平状態から斜め状態を介して略垂直状態に戻るような構造となっている。そして、加熱体が前記したような動作を行うことで、加熱体に取付けられたヒーターよりの遠赤外線によって、被施術者の頭髪の全体を均一な温度で加温してパーマや染色の促進を行うものであった。
【０００３】
また、特許文献２として特開２００２−８５１４３号公報には、加熱体の回転と同期して回転する円板に加熱体を初期位置（回転体が略垂直位置）で停止させるためのスリットと、加熱体の３つの位置で被施術者の毛髪の温度を検出するタイミングを検出するためのスリットが形成された発明がある。
【先行技術文献】
【特許文献】
【０００４】
【特許文献１】特開平１−１３６６０３号公報
【特許文献２】特開２００２−８５１４３号公報
【発明の概要】
【発明が解決しようとする課題】
【０００５】
ところで、特許文献１にあっては、略垂直位置にある状態において加熱体の下部側のヒーター密度のみを高くして放射熱量を高くしたものであるため、頭髪に対する温度が均等に加えることが難しく、また、ヒーターは常時通電状態であることから、頭髪の特定部分（例えば、フロント部分（前頭部）、ネープ部分（後頭部）、サイド部分（側頭部）のみ、あるいは、前記３つの部分から２つの部分の組み合わせのみのパーマの促進力を高めることはできなかった。
【０００６】
また、特許文献２にあっては、加熱体の回転と同期して回転する円板にスリットを形成し、該スリットの位置を検出することで初期位置に正確に停止させること、また、頭髪の温度を検出するためのタイミングを出力することが開示されているが、頭髪の特定部分のみを照射することについては利用していなかった。
【０００７】
本発明は前記した問題点を解決せんとするもので、その目的とするところは、頭髪の全体を均一に加熱することができるようにし、また、頭髪の一部あるいは２の部分のみに照射して、施術者の施術のやり方や被施術者の希望による頭髪の一部や２つの部分のパーマ等の施術をコントロール（温度を強くしたり弱くしたり）することが可能な毛髪処理促進装置を提供せんとするにある。
【課題を解決するための手段】
【０００８】
本発明の毛髪処理促進装置は前記した目的を達成せんとするもので、請求項１の手段は、リング状の加熱体から熱を照射して被施術者の頭髪の周囲を回転しながら均一な温度に加熱する毛髪処理促進装置であって、パーマやカラー等の施術内容を選択するための施術内容操作釦と、被施術者のフロント部、左右サイド部およびネープ部の加熱または非加熱で回転する部位を選択するための部位選択操作釦と、前記加熱体の回転領域を前記フロント部、左右サイド部およびネープ部に分割し、前記加熱体の１回転毎の前記回転領域毎に前記加熱体のヒーターの通電と遮断とを制御回路で制御して前記選択された部位で加熱または非加熱で回転することを特徴とする。
【０００９】
請求項２の手段は、リング状の加熱体から熱を照射して被施術者の頭髪の周囲を回転しながら均一な温度に加熱する毛髪処理促進装置であって、パーマやカラー等の施術内容から１つの施術内容を選択するための施術内容操作釦と、被施術者のフロント部、左右のサイド部およびネープ部のそれぞれの回転領域部位での加熱・非加熱で回転する部位から１つまたは複数を選択するための部位選択操作釦と、前記フロント部、左右のサイド部およびネープ部の４箇所の回転領域部位と前記ヒーターの回転位置とが一致したことを検出するタイミング検出手段と、前記施術内容と加熱する部位が選択された状態において前記加熱体の回転を開始させる回転操作釦と、前記施術内容と前記部位選択とが設定された後に前記回転操作釦が操作されると、前記加熱体が回転すると共にタイミング検出手段が選択された部位と加熱体との位置が一致したことを検出した位置において前記ヒーターへの通電と遮断を加熱体の１回転毎に繰り返し行う制御回路とより構成したことを特徴とする。
【００１０】
請求項３の手段は、前記した請求項２において、前記加熱体のヒーターへの通電および遮断のタイミング検出手段は、前記加熱体を回転するモータと一体に回転する円板に、前記部位選択操作釦のフロント部、左右サイド部およびネープ部の位置と対応するスリット等の位置表示部を形成し、前記選択した部位の位置表示部をセンサーが検出するヒーターに通電し、選択していない部位の位置表示部をセンサーが検出するとヒーターへの通電を遮断するようにしたことを特徴とする。
【００１１】
請求項４の手段は、前記した請求項３において、前記ヒーターに通電してから立ち上がり（ヒーターが所定の温度に達する時間）までの時間と、通電を遮断してから立ち下がり（ヒーターの冷却時間）までの時間に差がある場合にあっては、前記ヒーターへの通電開始を前記部位選択操作釦で選択した部位と対応する位置表示部を検出してから予め設定した時間の遅れの後に行い、また、前記ヒーターの通電遮断を前記部位選択操作釦で選択していない部位の位置表示部を検出してから前記通電開始の遅れ時間とは異なる予め設定した時間の遅れの後に行うようにしたことを特徴とする。
【００１２】
請求項５の手段は、前記した請求項１または２において、前記加熱体のヒーターとして、エネルギー量が大きく、電源を投入してからの立ち上がり（ヒーターが所定の温度に達する時間）が早く、かつ、電源を遮断してから立ち下がり（ヒーターの冷却時間）が早い、カーボンヒーターを採用したことを特徴とする。
【発明の効果】
【００１３】
本発明は前記したように、施術内容操作釦から選んだパーマやカラー等の施術において、被施術者のフロント部、左右サイド部、ネープ部の１つや２つの部位を選択して加温を開始すると、選択した部位である部分的な箇所の施術を行うことができ、従って、被施術者の好みに応じた施術が可能であると共にスタイルや髪の状態に合わせて加温部位を選ぶことができ、かつ、加温の必要がない部位を加温しないことから、被施術者の快適性を向上することができる。
【００１４】
また、ヒーターによって通電開始から立ち上がり、通電から遮断した時の立ち下がりの応答性が異なっても、通電開始のエリア位置と通電遮断のエリア開始位置において若干の時間差を設けて制御するようにしたので、ヒーターの加温時間が常に一定となって。加温時間を常に均一に行うことができる。
【００１５】
さらに、加熱体のヒーターとして、カーボンヒーターを採用することで、エネルギー量が大きくなって施術時間の短縮が図れ、また、電源の投入および遮断時において立ち上がりと立ち下がり時間が早いので、加温時間と冷却時間の短縮が図れ、よって、加温時間の正確さを図ることが可能である。
【図面の簡単な説明】
【００１６】
【図１】本発明に係る毛髪処理促進装置における加熱体が初期状態に位置する正面図である。
【図２】毛髪処理促進装置における加熱体が回転する状態を６分割した正面図である。
【図３】毛髪処理促進装置の側面図である。
【図４】毛髪処理促進装置の背面図である。
【図５】発熱体の反射板に対するヒーターの熱エネルギー分割を示す正面図である。
【図６】毛髪処理促進装置の操作盤の正面図である。
【図７】発熱体と同期して回転する円板の正面図である。
【図８】制御回路のブロック図である。
【図９】動作説明のためのフローチャートである。
【発明を実施するための形態】
【００１７】
以下、本発明に係る毛髪処理促進装置の一実施例を図面と共に説明する。
１はキャスターにより移動自在な脚体、２は該脚体１より上方に延長された受け杆１ａに対して昇降可能に取付けられ、内部に後述する制御回路が内蔵され、かつ、上端に操作盤２ａが傾斜状態で設けられた制御ボックス体である。なお、該制御ボックス体２の上方には被施術者の首部付近にセットし、頭部の位置を合わせるための頭部位置指示バー２ｂが設けられている。
【００１８】
３は前記制御ボックス体２の操作盤２ａの傾斜最高位置に下端部が固定され、中間部が前記頭部位置指示バー２ｂ側に折曲されたパイプにして、折曲された先端には後に詳述するリング状の加熱体４を回転するためのモータ（図示せず）を駆動源とする駆動手段５が取付けられている。なお、駆動手段５の回転軸には加熱体４のリング状の１箇所が取付けられ、かつ、前記回転軸に取付けられた箇所とは反対側の円周部が前記パイプ３側に向かって傾斜するように取付けられている。なお、リング状の加熱体４は、被施術者の頭部の周りを均一距離を保ちながら回転運動するようになっている。
【００１９】
そして、加熱体４が略垂直状態にある位置が初期位置（図１，図３、図４の状態）となっている。この初期位置において被施術者の頭部が加熱体４の前方で、かつ、加熱体４の中央位置となるように被施術者を椅子に着座させる。なお、着座状態において加熱体４の下端部が被施術者のネープ部に位置している。
【００２０】
また、駆動手段５を駆動して加熱体４を１回転（正面側から見て時計方向）させると、該加熱体４は前記初期位置から加熱体４の中心部（リングの中心部）が被施術者の一方の側頭部に移動し、次いで、加熱体４の中心部が被施術者の頂頭部に移動し、さらに、前記側頭部とは反対側の側頭部を経て初期位置に戻るような回転を行うものである（図２参照）。なお、この図２にあっては、正面側から見た図であるため加熱体４は時計方向に回転した図となっている。
【００２１】
前記加熱体４は断面が円弧状で内面側が反射面となっている反射板４ａと、該反射板４ａの内面に配置されたヒーター４ｂとから構成されている。前記ヒーター４ｂは図４に示すように、加熱体４が初期位置にある状態において下方部位が高エネルギーの高発熱部４ｂ１となっており、該高発熱部４ｂ１の両端より先の部位が中エネルギーの中発熱部４ｂ２となっており、さらに、該中発熱部４ｂ２の両端より先の回転軸部の先端部位が低エネルギーの低発熱部４ｂ３となっている。
【００２２】
なお、前記低発熱部４ｂ３の端部間は無発熱部４ｂ４となっている。また、４ｃは前記した駆動手段５に内蔵されているモータの回転軸に接続される取付部である。
【００２３】
本実施例におけるヒーター４ｂとしては、高純度のカーボンで構成したカーボンヒーターを採用した。その理由としては、頭髪に対するエネルギー量が大きいことから加温の促進が図れ、また、電源の投入からの立ち上がり（ヒーターが所定の温度に達する）が早く、また、電源の遮断後におけるヒーターの冷却時間が早いことから、後に説明する頭髪の１箇所あるいは２箇所のパーマやカラー等の施術を強調する施術に適しているからである。
【００２４】
前記制御ボックス体２の操作盤２ａは図６に示すように、パーマ、カラー、トリートメント、マニュアル（施術者が被施術者の毛髪の量、毛髪の硬さに応じて施術時間や温度を設定する）操作を設定するための施術内容操作釦２ｃが配置され、また、該施術内容操作釦２ｃの上方には施術時間、ヒーター温度を施術者が操作するための手動操作釦２ｄ，２ｅおよび該操作釦２ｄ，２ｅの操作量に応じて施術時間やヒーター温度を表示する表示板２ｆが配置されている。
【００２５】
また、前記施術内容操作釦２ｃの下部にはフロント（頭髪の前頭部）、サイド（頭髪の左右側頭部）およびネープ（頭髪の後頭部）である３箇所の部位におけるどの部位の前記施術を強調して行うか、また弱く施術を行うかを選択するための部位選択操作釦２ｇが配置されている。すなわち、前記施術内容操作釦２ｃにより選択される各施術モードを行う場合において、前記した各部位、フロント、サイドまたはネープの促進力を強くしたり、弱くしたりする場合、この部位選択操作釦２ｇを操作することになる。
【００２６】
また、前記部位選択操作釦２ｇの全てを操作しない場合には、ヒーター４ｂがオンの状態で頭髪全体を均一なパーマとなるように制御される。前記部位選択操作釦２ｇの下部には施術の開始と終了を操作するためのＳＴＡＲＴ／ＳＴＯＰである回転操作釦２ｈが配置されている。なお、施術内容操作釦２ｃ、部位選択操作釦２ｇ各操作釦の近傍には操作釦が選択されたか否かを表示する操作ランプ２ｊが設けられている。
【００２７】
前記駆動手段５のモータには、図７に示すように前記モータの回転に同期して回転する円板６が取付けられている。この円板６には前記加熱体４の回転終了指令に基づいて、加熱体４を初期位置に正確に停止させるためのホームポジション用スリット（１）と、ストップ用スリット（６）が形成されている。なお、図７に示す円板６は加熱体４の背面側から見た図であり、回転方向は反時計方向となる。
【００２８】
前記ホームポジション用スリット（１）から反時計方向の４５度の位置にはフロント用スリット（２）、該フロント用スリット（２）から反時計方向に９０度の位置には被施術者の右側サイド用スリット（３）、該右側サイド用スリット（３）から反時計方向に９０度の位置にはネープ用スリット（４）、該ネープ用スリット（４）から反時計方向に９０度の位置には被施術者の左側サイド用スリット（５）が形成されている。
【００２９】
そして、前記円板６に形成されている全てのスリット（１）〜（６）は、図示しない光透過型の光センサーが前記駆動手段５に固定され、円板６の回転によって順次検出する構造となっている。すなわち、加熱体４が初期位置にある時には、ホームポジション用スリットを検出しており、加熱体４が初期位置から回転（図３から見て反時計方向）すると、前記スリット（２）〜（５）を順次検出して後述する制御回路７に検出信号を送出するものである。
【００３０】
前記した説明では、光センサーとしてスリットを検出する光透過型の光センサーとしたが、円板６にスリットに変えて白地に黒線を施し、該黒線を光反射型の光センサーで検出するようにしてもよい。なお、円板６の回転角度を検出手段としてはスリットと光センサーに限定されるものではなく、円板６の回転角度を検出可能な全てのセンサー、例えば、円板６を非磁性体で構成し、該非磁性体の円板６に前記（１）〜（６）の部分に磁石を配置し、この磁石を磁気検出センサーで検出するようにしてもよい。なお、以下の説明ではスリットと光センサーとの組み合わせで説明する。
【００３１】
次に、図８の制御回路７の構成について説明するに、７ａは中央演算処理装置であるＣＰＵ、７ｂはＣＰＵ７ａに接続されたＲＡＭ、７ｃはＣＰＵ７ａに接続されたＲＯＭ、７ｄは前記したスリットを検出するとホームポジション用スリット（１）を検出している基準位置から順次（２）〜（５）を検出したセンサーよりの出力をＣＰＵ７ａに送出するためのスリット検出回路、７ｅは前記操作盤２ａに装備された各種の制御を行うための操作盤スイッチであり、操作を行うとＣＰＵ７ａに出力する。
【００３２】
７ｆはＣＰＵ７ａより出力で加熱体４を回転させるためのモータ、４ｂはＣＰＵ７ａよりのヒーター通電出力が送出されると通電が開始される前記した種類の発熱量で発熱するヒーターである。
【００３３】
次に、頭髪の施術、例えば、頭髪全体のパーマの強さを均等にする施術を行う場合について説明する。図１の前記施術内容操作釦２ｃの前面側に設けられた元電源スイッチ２ｉをオンにした状態にあっては、施術内容操作釦２ｃの操作ランプ２ｊが点滅状態となっている。この点滅状態でパーマ、カラー、トリートメント、マニュアルの内のパーマを選択し操作すると、パーマ以外の操作ランプ２ｊは消灯する。また、施術内容操作釦２ｃが操作されると回転操作釦２ｈが点滅を開始する。
【００３４】
この状態において、回転操作釦２ｈを操作するとヒーター４ｂへの通電が開始されると共に駆動手段５のモータに通電が開始され、加熱体４は初期位置の略垂直位置から加熱体４の中心部（リングの中心部）が被施術者の右側頭部に移動し、次いで、加熱体４の中心部が被施術者の頂頭部に移動し、さらに、前記被施術者の左側頭部に移動した後初期位置に戻るという回転をする（図２参照）。そして、この動作は、予め設定したヒーター４ｂの温度と加熱時間に達するまで行われ、加熱時間に達すると初期位置で停止されると共にヒーター４ｂへの通電を遮断して頭髪は均一な温度でパーマ施術が行われる。
【００３５】
なお、前記ヒーター４ｂの温度調整と加熱時間調整は、被施術者の頭髪の量、硬さ等によって異なるので、施術者が被施術者の頭髪を見て手動操作釦２ｄ，２ｅを操作して、最適な加熱温度と加熱時間を設定することができる。
【００３６】
次に、毛髪のフロント、サイド、ネープの何れかの１の箇所を、例えば、ネープ位置を他のフロントやサイドよりもパーマを強くかける場合の動作を図９のフローチャートと共に説明する。
【００３７】
元電源スイッチ２ｉがオンの状態にあっては、前記したように施術内容操作釦２ｃの操作ランプ２ｊが点灯されている。この点灯されている施術内容の１つ、例えば、パーマを選択すると、施術内容操作釦２ｃ中のカラー、フェイシャル、マニュアルの操作ランプ２ｊは消灯する。この施術内容の選択が終了すると、部位選択操作釦２ｇにおける全ての釦の操作ランプ２ｊが点灯し、かつ、回転操作釦２ｈが点滅を開始する。
【００３８】
そこで、部位選択操作釦２ｇのフロント、サイド、ネープの何れか、例えば、フロントとサイドを選択すると、フロントとサイドの釦を照明する操作ランプ２ｊは消灯する。このネープ釦の操作ランプ２ｊのみが点灯した状態であることから、ネープ部分の頭髪のパーマ施術を行うとの意志が明確になる。
【００３９】
この状態において、回転操作釦２ｈを操作すると予めＲＯＭに記憶されているプログラムに従って動作が開始される。すなわち、初期位置にある加熱体４のヒーター４ｂには通電が行われない状態でモータのみに通電が行われ、加熱体４は反時計方向に回転を開始する。モータの回転によって円板６のホームポジション用スリットを検出していた位置に固定されていた光センサーが加熱体４の回転に伴ってスリット（２）（３）（４）（５）の順に検出する。そして、前記プログラムではスリット（５）を検出したか否かの判定を行う（ステップＳ１）。
【００４０】
ステップＳ１においてスリット（５）を検出したと判断すると、サイドがオンに設定されているか否かの判定を行う（ステップＳ２）。この実施例にあってはネープのみがオンに設定されていることから，ステップＳ２ではＮＯとの判断を行いステップＳ１７に移行する。すなわち、スリット（５）の検出から２．４秒（ａ点）経過したか否かの判断を行い（ステップＳ１７）、経過したと判断するとヒーター４ｂへの通電を遮断する（ステップＳ１８）。しかし、スリット（５）を検出した時点においてヒーター４ｂへの通電は遮断状態であったので、引き続きヒーター４ｂは非通電状態に維持される。
【００４１】
ステップＳ１８においてヒーター４ｂへの通電遮断との指示を行った後にスリット（２）を検出したか否かの判定を行う（ステップＳ５）。そして、スリット（２）を検出したと判断すると、フロントがオンに設定されているか否かの判定を行う（ステップＳ６）。この実施例にあってはネープのみがオン状態に設定されていることから，ステップＳ６ではＮＯとの判断を行いステップＳ１９に移行する。すなわち、スリット（２）の検出から２．４秒（ｂ点）経過したか否かの判断を行い（ステップＳ１９）、経過したと判断するとヒーター４ｂへの通電を遮断する（ステップＳ２０）。しかし、ステップＳ１８においてヒーター４ｂへの通電は遮断状態を維持していたので、引き続きヒーター４ｂは非通電状態に維持される。
【００４２】
ステップＳ２０においてヒーター４ｂへの通電遮断との指示を行った後にスリット（３）を検出したか否かの判定を行う（ステップＳ９）。そして、スリット（３）を検出したと判断すると、サイドがオンに設定されているか否かの判定を行う（ステップＳ１０）。この実施例にあってはネープのみがオン状態に設定されていることから，ステップＳ１０ではＮＯとの判断を行いステップＳ２１に移行する。すなわち、スリット（３）の検出から２．４秒（ｃ点）経過したか否かの判断を行い（ステップＳ２１）、経過したと判断するとヒーター４ｂへの通電を遮断する（ステップＳ２２）。しかし、ステップＳ２０においてヒーター４ｂへの通電は遮断状態を維持していたので、引き続きヒーター４ｂは非通電状態に維持される。
【００４３】
前記ステップＳ２２においてヒーター４ｂへの通電遮断との指示を行った後にスリット（４）を検出したか否かの判定を行う（ステップＳ１３）。そして、スリット（４）を検出したと判断すると、ネープがオンに設定されているか否かの判定を行う（ステップＳ１４）。この実施例ではネープを選択していることからＹＥＳと判断され、スリット（４）の検出から２．１秒（ｄ点）経過したか否かの判定を行い（ステップＳ１５）、この時間が経過したと判断するとヒーター４ｂへの通電を開始する（ステップＳ１６）。このヒーター４ｂによる頭髪への加熱において、この実施例ではネープを選択していることから、特にネープ位置が他のフロントやサイド位置よりも高熱で処理されることとなり、従って、ネープ位置の頭髪のパーマが強くかけられた状態となる。
【００４４】
前記ステップＳ１６において、ヒーター４ｂの通電が開始されると、次に、スリット（５）を検出したか否かの判定を行うステップであるステップＳ１に戻り、ステップＳ２，１７を介して２．４秒（ａ点）後にステップＳ８においてヒーター４ｂへの通電が遮断され、以下、前記した動作が予め操作盤２ａで設定した施術時間に達するまで繰り返し行われる。
【００４５】
そして、前記した動作において、ネープ部を指定した場合の加熱体４のヒーター４ｂが通電されるのは、略図２における（ヘ）〜（ロ）の間である。なお、図２において、符号（イ）〜（へ）で示しているのは、加熱板４が初期位置（イ）から順に（へ）の状態に回動しながら変移し（イ）に戻る状態を示している。
【００４６】
ところで、前記した動作説明において、ヒーター４ｂへの通電の遮断は２．４秒後に行われ、また、ヒーター４ｂへの通電は２．１秒後に行われるようにしたのは、ヒーター４ｂは通電してからの立ち上がり時間と、通電を遮断してからの立ち下がり時間がことなり、また、加熱体４の１回転の時間が（実施例では交流電源の周波数が６０Ｈｚである場合）１４秒程度の速度とすることが実験より頭髪への熱量として最も適してことから、スリットを検出してからの通電までの時間と、スリットを検出してから通電の遮断時間を決定した。
【００４７】
なお、交流電源の周波数の違い（５０Ｈｚ）で、スリットを検出してから通電までの時間２．５５秒であり、また、遮断時間は２．９３秒となる。
【００４８】
そして、ヒーター４ｂの通電してからの立ち上がりと、遮断してからの立ち下がりがおなじであり、かつ、加熱体４の回転速度が遅い場合には、スリットを検出した位置でヒーター４ｂへの通電開始と、ヒーター４ｂの通電遮断を行うことが可能となる。
【００４９】
次に、頭髪のフロント部のパーマ施術を行う場合について動作を説明する。なお、この説明では前記したネープの動作説明で詳細に説明したので、この実施例では簡潔に説明する。
【００５０】
前記フローチャートにおいて、ステップＳ１→Ｓ２→Ｓ１７→Ｓ１８→Ｓ5 →Ｓ６→Ｓ７→Ｓ８（ヒーター４ｂに通電）→Ｓ９→Ｓ１０→Ｓ２１→Ｓ２２（ヒーター４ｂの遮断）→Ｓ１３→Ｓ１４→Ｓ２３→Ｓ２４（ヒーター４ｂへの通電遮断）→Ｓ１の動作が繰り返し行われる。そして、前記した動作において、フロント部を指定した場合の加熱体４ｂのヒーター４ｂが通電され点灯するのは略図２における（ハ）〜（ホ）の間である。
【００５１】
また、サイド部のパーマを強くしたい場合にあっては、ステップＳ１→Ｓ２→Ｓ３→Ｓ４（ヒーター４ｂに通電）→Ｓ５→Ｓ６→Ｓ１９→Ｓ２０（ヒーター４ｂの遮断）→Ｓ９→Ｓ１０→Ｓ１１→Ｓ１２（ヒーター４ｂの遮断）→Ｓ１３→Ｓ１４→Ｓ２３→Ｓ２４（ヒーター４ｂの遮断）→Ｓ１に戻るという動作を繰り返し行う。そして、前記した動作において、サイド部を指定した場合の加熱体４のヒーター４ｂが通電され点灯するのは、略図２における（ニ）〜（ハ）および（ホ）〜（ヘ）の間である。
【００５２】
なお、この動作説明ではヒーター４ｂへのスリットを検出してから通電するまでの時間およびヒーター４ｂをスリットを検出してから遮断するまでの時間は前記したネープのみを選択した場合で説明した時間で行われる。
【００５３】
次に、フロント、サイド、ネープの位置の２箇所を選択してパーマ施術を行う場合の動作を図９のフローチャートと共に説明する。
先ず、サイドとネープ部の毛髪のパーマ処理を強く行いたい場合には、施術内容操作釦２ｃからパーマを選択した後、部位選択操作釦２ｇのフロント釦を操作すると、サイドとネープの操作ランプ２ｊが点灯状態を維持し、フロントの操作ランプ２ｊは消灯状態となる。
【００５４】
この状態において、回転操作釦２ｈを操作すると加熱体４のヒーター４ｂは通電が行われない状態で反時計方向に回転を開始する。そして、スリット（５）を検出したか否かの判断を行い（ステップＳ１）、スリット（５）を検出したと判断すると、サイドがオンに設定されているか否かの判定を行う（ステップＳ２）。この実施例にあってはサイドが選択されていることから、ステップＳ２ではＹＥＳとの判断を行いステップＳ３に移行して、スリット（５）の検出から２．１秒経過したか否かの判断を行い、２．１秒が経過したと判断するとヒーター４ｂへの通電が開始される（ステップＳ４）。
【００５５】
そして、ヒーター４ｂへの通電状態においてスリット（２）を検出したか否かの判断を行い（ステップＳ５）、スリット（２）を検出したと判断するとフロントがオンに設定されているか否かの判断を行う（ステップＳ６）。この実施例ではフロントは選択されていないのでＮＯとの判断を行いステップＳ１９に移行して、スリット（２）の検出から２．４秒経過したか否かの判断を行い、経過したと判断するとヒーター４ｂへの通電を遮断する（ステップＳ２０）。従って、加熱体４のヒーター４ｂへの通電は遮断され頭髪への加熱は停止される。
【００５６】
ステップＳ２０においてヒーター４ｂへの通電遮断との指示を行った後にスリット（３）を検出したか否かの判定を行う（ステップＳ９）。そして、スリット（３）を検出したと判断すると、サイドがオンに設定されているか否かの判定を行う（ステップＳ１０）。この実施例にあってはサイドも設定されていることから，ステップＳ１１に移行してスリット（３）の検出から２．１秒経過したか否かの判断を行い（ステップＳ１１）、経過したと判断されるとヒーター４ｂへの通電が開始される（ステップＳ１２）。そして、頭髪への加熱が再度行われる。
【００５７】
前記ステップＳ１２のヒーター４ｂへの通電との指示を行った後に、スリット（４）を検出したか否かの判定を行う（ステップＳ１３）。そして、スリット（４）を検出したと判断すると、ネープがオンに設定されているか否かの判定を行う（ステップＳ１４）。この実施例ではネープも選択していることからＹＥＳと判断され、スリット（４）の検出から２．１秒経過したか否かの判定を行い（ステップＳ１５）、この時間が経過したと判断するとヒーター４ｂへの通電が連続して行われる（ステップＳ１６）。このように、ネープとサイドが選択されていると長時間の頭髪への加熱が行われるので、ネープとサイド部分の頭髪のパーマが強くかけられた状態となる。
【００５８】
そして、ステップＳ１６において、ヒーター４ｂの通電が行われている状態において、スリット（５）を検出したか否かの判断を行うステップＳ１に戻り、ステップＳ２においてサイドが選択されているので、ステップＳ３を経てヒーター４ｂへの通電が連続して行われる（ステップＳ４）。以下、前記した動作が予め操作盤２ａで設定した施術時間に達するまで繰り返し行われる。
【００５９】
そして、前記した動作において、サイドとネープ部を指定した場合の加熱体４のヒーター４ｂが通電され点灯するのは、略図２における被施術者の右側頭部（ロ）〜（ハ）、被施術者の左側頭部（ホ）〜（ヘ）および被施術者の後頭部（ヘ）〜（ロ）の間である。
【００６０】
この動作説明においてヒーター４ｂへのスリットを検出してから通電するまでの時間およびヒーター４ｂをスリットを検出してから遮断するまでの時間は前記したネープのみを指定した場合で説明した時間で行われる。
【００６１】
次に、頭髪のフロントとサイド部のパーマを強くしたい場合について動作を説明する。なお、この説明では前記したサイドとネープの動作説明で詳細に説明したので、この実施例では簡潔に説明する。
【００６２】
ステップＳ１→Ｓ２→Ｓ３→Ｓ４（ヒーター４ｂに通電）→Ｓ５→Ｓ６→Ｓ７→Ｓ８（ヒーター４ｂに通電）→Ｓ９→Ｓ１０→Ｓ１１→Ｓ１２（ヒーターに通電）→Ｓ１３→Ｓ１４→Ｓ２３→Ｓ２４（ヒーター４ｂへの通電遮断）→Ｓ１に戻るという動作を繰り返し行う。
【００６３】
そして、前記した動作において、フロントとサイド部を指定した場合の加熱体４のヒーター４ｂが通電され点灯するのは、略図２における被施術者の右側頭部（ロ）（ハ）、被施術者の前頭部（ハ）〜（ホ）および被施術者の左側頭部（ホ）〜（ヘ）の間である。
【００６４】
次にフロントとネープ部のパーマ処理を行った場合について動作を説明する。
ステップＳ１→Ｓ２→Ｓ１７→Ｓ１８（ヒーター４ｂを連続して遮断）→Ｓ５→Ｓ６→Ｓ７→Ｓ８（ヒーター４ｂに通電）→Ｓ９→Ｓ１０→Ｓ２１→Ｓ２２（ヒーター４ｂへの通電遮断）→Ｓ１３→Ｓ１４→Ｓ１５→Ｓ１６（ヒーター４ｂに通電）→Ｓ１に戻るという動作を繰り返し行う。
【００６５】
そして、前記した動作において、フロントとネープ部を指定した場合の加熱体４のヒーター４ｂが通電され点灯するのは、略図２における被施術者の前頭部（ハ）〜（ホ）、被施術者の後頭部（ヘ）〜（ロ）の間である。
【００６６】
フロントとサイドおよびフロントとネープの動作説明においても前記サイドとネープの動作説明と同様に、ヒーター４ｂへのスリットを検出してから通電するまでの時間およびヒーター４ｂをスリットを検出してから遮断するまでの時間は前記したネープのみを指定した場合で説明した時間で行われる。
【００６７】
次に、施術者がマニュアル釦を選択した場合の動作説明を行うに、マニュアル操作にあっては、施術者が加熱温度、加熱時間の設定は全て施術者が設定して行うものである。このマニュアル操作の場合においても、予め設定した時間に達すると加熱体４は初期位置で停止することとなる。
【００６８】
また、マニュアル釦を操作し加熱温度と加熱時間を設定した後に、例えば、頭髪の前頭部のみのパーマ施術を行いたい場合には、操作盤２ａの図示しないローテーション釦を操作すると、前頭部にリング状の加熱体４の高発熱部４ｂ１  が位置する状態で停止し、前記時間が経過するまで前記停止位置が保持されてフロントの頭髪のみが加熱されてフロントのみがパーマが強くかけられることとなる。
【００６９】
ところで、例えば、パーマ施術において、施術者によっては被施術者のフロント（前頭部）にあまり熱を与えないような運転をさせることを望む場合がある。このような設定を行うには、元電源スイッチ２ｉがオンの状態で施術内容操作釦２ｃの操作ランプ２ｊが点灯しているパーマ、カラー、トリートメント、マニュアルの釦からパーマを選択する。該パーマが選択されると部位選択操作釦２ｇのフロント、サイド、ネープ釦の操作ランプ２ｊが点灯されるので、ここで、フロント釦を操作すると、該フロントのみがオフとなるので、サイド、ネープのパーマ施術が行われフロント部ではヒーター４ｂへの通電が遮断される設定となる。
【００７０】
ここで、施術者がパーマ施術において常時フロント部の加熱を必要としない設定を行う場合には、前記の設定状態から施術内容操作釦２ｃのパーマ釦の操作時間を長押し（例えば、３秒）すると、フロント釦の操作ランプ２ｊは消灯し、フロント部ではヒーター４ｂへの通電が遮断される設定にＲＡＭ７ｃが記憶するので、次回以降の施術内容操作釦２ｃのパーマ釦を選択すると、部位選択操作釦２ｇのフロント釦はオフを維持してサイド、ネープのパーマ処理のみを行うこととなる。
【００７１】
また、施術内容操作釦２ｃのパーマの設定においては、フロントのみでなくサイド、ネープの何れでも行え、さらに、前記フロント、サイド、ネープの単独ではなく２つの組み合わせ、例えば、サイドとネープの組み合わせであっても可能となる。
【００７２】
また、前記施術内容操作釦２ｃのモード設定時に、照射時間の設定や温度設定も同時に行うことが可能である。例えば、パーマモードでフロントにあまり熱を与えたくない（フロントを加熱体４のヒーター４ｂが照射する位置でオフ）、また、照射時間を通常より短く、また、照射温度を通常より低くした状態で、施術内容操作釦２ｃのパーマ釦を長押しすることで、次回以降のパーマ時には前記設定した部位と時間と温度でパーマ施術が行われることとなる。
【００７３】
なお、前記した説明では、パーマについて説明したが、カラー、トリートメント、マニュアルのそれぞれのモード釦が押された場合であっても、前記したと同様な操作を行うことで、全てのモード設定において行うことが可能である。また、前記設定は新たな設定状態でパーマ釦を長押しすることでメモリは上書きされ、新たな設定状態で動作を行うことができる。
【００７４】
なお、前記した実施例にあっては、パーマの施術についてのみ説明したが、カラー、トリートメントの施術についても前記したと同様な施術を行うことができるものである。
【符号の説明】
【００７５】
１                脚体
２                制御ボックス体
２ａ              操作盤
２ｃ              施術内容操作釦
２ｇ              部位選択操作釦
２ｈ              回転操作釦
４                加熱板
４ａ              反射板
４ｂ              ヒーター
５                駆動手段
６                円板
（１）〜（６）    スリット
【図１】
0006008162.tif 000002
【図２】
0006008162.tif 000003
【図３】
0006008162.tif 000004
【図４】
0006008162.tif 000005
【図５】
0006008162.tif 000006
【図６】
0006008162.tif 000007
【図７】
0006008162.tif 000008
【図８】
0006008162.tif 000009
【図９】
0006008162.tif 000010